(57)【要約】【課題】熱風炉の設置に必要なスペースを小さくするとともに、その熱風炉の燃焼室の稼働を効率的にする。【解決手段】  燃焼室１で生じた燃焼ガスを蓄熱室２に供給し、その燃焼ガスが有する熱エネルギーによって前記蓄熱室２内に配置した蓄熱体３に蓄熱させ、燃焼ガスの供給を止めた状態の前記蓄熱室２内に気体を通して熱風を発生させる熱風炉において、一基の燃焼室１と複数の蓄熱室２との間に第一熱風弁１５を配置し、各蓄熱室２に対してそれぞれ選択的に燃焼ガスが供給可能とした。このようにすれば、一の蓄熱室の蓄熱が完了しても、燃焼室は、他の蓄熱室を蓄熱させることができる。このため、一の蓄熱室２の蓄熱が完了した際に、燃焼室１内でのガスの燃焼を止める必要がなく、燃焼室１を効率的に稼働させることができる。また、一基の燃焼室１で複数基の蓄熱室２に対応できるので、熱風炉２０の設置に要するスペースを小さくすることができる。【選択図】図１
2010047782.tif 000002
【特許請求の範囲】
【請求項１】
燃焼室（１）で生じた燃焼ガスを蓄熱室（２）に供給し、その燃焼ガスが有する熱エネルギーによって前記蓄熱室（２）内に配置した蓄熱体（３）に蓄熱させ、燃焼ガスの供給を止めた状態の前記蓄熱室（２）内に気体を通して熱風を発生させる熱風炉において、
少なくとも一基の燃焼室（１）から複数の蓄熱室（２）に対して燃焼ガスが供給可能となっていることを特徴とする熱風炉。
【請求項２】
前記一基の燃焼室（１）と前記複数の蓄熱室（２）との間はそれぞれ燃焼ガス供給路（５）で結ばれており、その各燃焼ガス供給路（５）に第一熱風弁（１５）を配置し、その第一熱風弁（１５）の開閉により、前記複数の蓄熱室（２）に対してそれぞれ選択的に燃焼ガスが供給可能となっていることを特徴とする請求項１に記載の熱風炉。
【請求項３】
前記気体は、前記蓄熱室（２）に接続した冷風管（６）を通じて前記蓄熱室（２）内へ通されるようになっており、前記熱風は、前記蓄熱室（２）に接続された熱風管（８）を通じて外部へ供給されるようになっており、前記燃焼ガスは、前記蓄熱室（２）に接続した煙道管（７）を通じて外部へ排出されるようになっており、前記冷風管（６）には冷風弁（１６）が、前記煙道管（７）には煙道弁（１７）が、前記熱風管（８）には第二熱風弁（１８）が、それぞれの管を開閉可能に設けられており、
前記一基の燃焼室（１）が、前記複数の蓄熱室（２）のうち一の蓄熱室（２）に燃焼ガスを供給する際に、その一の蓄熱室（２）に接続された燃焼ガス供給路（５）の第一熱風弁（１５）及び前記煙道管（７）の煙道弁（１７）は開放され前記熱風管（８）の第二熱風弁（１８）及び冷風管（６）の冷風弁（１６）は閉じられ、他の蓄熱室（２）に接続された燃焼ガス供給路（５）の第一熱風弁（１５）は閉じられ、前記他の蓄熱室（２）のうち外部へ熱風を供給する対象となっている蓄熱室（２）がある場合は、前記対象となっている蓄熱室（２）に接続された前記熱風管（８）の第二熱風弁（１８）及び前記冷風管（６）の冷風弁（１６）は開放されるように、それぞれ自動的に制御する機能を有する制御手段を備えたことを特徴とする請求項１又は２に記載の熱風炉。
【請求項４】
燃焼室（１）で生じた燃焼ガスを蓄熱室（２）に供給し、その燃焼ガスが有する熱エネルギーによって前記蓄熱室（２）内に配置した蓄熱体（３）に蓄熱させ、燃焼ガスの供給を止めた状態の前記蓄熱室（２）内に気体を通して熱風を発生させる熱風炉による熱風の供給方法において、
少なくとも一基の燃焼室（１）から複数の蓄熱室（２）に対して燃焼ガスを供給し、その燃焼ガスによって蓄熱が完了した蓄熱室（２）から外部へ熱風を供給することを特徴とする熱風炉による熱風の供給方法。
【請求項５】
前記一基の燃焼室（１）と前記複数の蓄熱室（２）との間はそれぞれ燃焼ガス供給路（５）で結ばれており、その各燃焼ガス供給路（５）に第一熱風弁（１５）を配置し、その第一熱風弁（１５）の開閉により、前記複数の蓄熱室（２）のうち、前記熱風を供給している蓄熱室（２）を除く少なくとも一の蓄熱室（２）に対して燃焼ガスを供給することを特徴とする請求項４に記載の熱風炉による熱風の供給方法。
【請求項６】
前記気体は、前記蓄熱室（２）に接続した冷風管（６）を通じて前記蓄熱室（２）内へ通されるようになっており、前記熱風は、前記蓄熱室（２）に接続された熱風管（８）を通じて外部へ供給されるようになっており、前記燃焼ガスは、前記蓄熱室（２）に接続した煙道管（７）を通じて外部へ排出されるようになっており、前記冷風管（６）には冷風弁（１６）が、前記煙道管（７）には煙道弁（１７）が、前記熱風管（８）には第二熱風弁（１８）が、それぞれの管を開閉可能に設けられており、
前記一基の燃焼室（１）が、前記複数の蓄熱室（２）のうち一の蓄熱室（２）に燃焼ガスを供給する際に、その一の蓄熱室（２）に接続された燃焼ガス供給路（５）の第一熱風弁（１５）及び前記煙道管（７）の煙道弁（１７）を開放し前記熱風管（８）の第二熱風弁（１８）及び冷風管（６）の冷風弁（１６）を閉じ、他の蓄熱室（２）に接続された燃焼ガス供給路（５）の第一熱風弁（１５）を閉じ、前記他の蓄熱室（２）のうち外部へ熱風を供給する対象となっている蓄熱室（２）がある場合は、前記対象となっている蓄熱室（２）に接続された前記熱風管（８）の第二熱風弁（１８）及び前記冷風管（６）の冷風弁（１６）を開放することを特徴とする請求項４又は５に記載の熱風炉による熱風の供給方法。
【発明の詳細な説明】
【技術分野】
【０００１】
この発明は、製鉄高炉や非鉄金属精錬炉等に熱風を供給するための熱風炉、及びその熱風炉による熱風の供給方法に関するものである。
【背景技術】
【０００２】
高炉において銑鉄を製造するときには、高炉内に熱風を供給して鉄鉱石を溶融還元している。また、非鉄金属精錬炉等においても、精錬の際には炉内に熱風が供給される。
この熱風の供給は、前記高炉や精錬炉に併設した熱風炉によって行われる。熱風炉には、燃焼室と蓄熱室とを一体に内蔵した内燃式と、燃焼室と蓄熱室とを別々に設けた外燃式とがある。
【０００３】
外燃式の熱風炉１０は、例えば、図５に示すように、燃焼室１内で燃料となるガスを燃焼させ、その燃焼により発生した燃焼ガスを蓄熱室２に供給する。燃料ガスは、開閉弁１４ｂを備えたガス供給管４ｂから、燃焼に必要な空気は、開閉弁１４ａを備えた空気管４ａから燃焼室１に供給されている。蓄熱室２に燃焼ガスが供給されることによって、その燃焼ガスの熱エネルギ−を蓄熱室２に配置した煉瓦等からなる蓄熱体３に蓄熱させる。
【０００４】
一定の熱量の蓄熱が完了すると燃焼ガスの供給を停止し、その蓄熱室２に冷風を供給する。冷風は、蓄熱体３の熱エネルギ−によって加熱され、熱風となって前記高炉９等に供給される（例えば、特許文献１参照）。
【０００５】
この熱風炉１０の蓄熱室２は、通常、例えば、図４に示すように、一基の高炉９に対して複数基並列して設置される（通常は、三基又は四基）。
この例は、内燃式の熱風炉１０を示しており、各蓄熱室２内にそれぞれ燃焼室１が一体に設けられている。図中の符号４は蓄熱室２内に、燃料ガスの燃焼に必要な空気を送り込む送風機、符号１１は蓄熱室２内に冷風を送り込む送風機、符号６は冷風管、符号８は熱風管、符号１６は冷風管６を開閉する冷風弁を示している。
【０００６】
その複数基の蓄熱室２のうち、常に、少なくとも一基の蓄熱室２が前記高炉９等に対して熱風を供給している状態とされる。
すなわち、選択された蓄熱室２から高炉９等に熱風を供給する（熱風供給状態）ので、それ以外の蓄熱室２は、燃焼ガスの供給により蓄熱されつつある状態（蓄熱状態）、蓄熱を終えて熱風の供給開始を待つ状態（待機状態）、あるいは、点検等の目的で、蓄熱も熱風の供給も行わない状態（休止状態）とすることができる。
【０００７】
このように、熱風炉１０の各蓄熱室２が、それぞれ熱風の供給と停止を繰り返すことにより、高炉９等に対しては、途切れることなく継続して一定温度以上の熱風が供給されるようにしている（例えば、特許文献２参照）。
【０００８】
また、例えば、特許文献３に示すように、一基の高炉９に対して蓄熱室２を複数基並列して設置し、その並列する複数基の蓄熱室２からそれぞれ供給される熱風を混合して、温度変動や送風圧力の変動を抑制する技術も開示されている（例えば、特許文献３参照）。
【０００９】
【特許文献１】特開２００４−６８１３６号公報
【特許文献２】特開２００３−２６２２８６号公報（第６頁第５図）
【特許文献３】特開２００６−２４１５００号公報
【発明の開示】
【発明が解決しようとする課題】
【００１０】
従来の熱風炉１０によると、複数基備えられた蓄熱室２のそれぞれが、燃焼室１を備えているため、設備の設置には多大なスペースを要する。
【００１１】
また、蓄熱室２が熱風供給状態、待機状態、あるいは休止状態にあるときは、その蓄熱室２に併設された燃焼室１内でのガスの燃焼は停止されるので、燃焼室１の温度が下がってしまう。燃焼室１の温度が下がると、再度、燃焼を開始した時に、燃焼室１の温度が上がるまで大量の熱量を必要とするので非効率である。
【００１２】
また、温度変化の繰り返しによって、燃焼室１やその燃焼室１内の蓄熱体等の劣化が早まることがある。このような劣化が生じると、効率的に燃焼室１を稼働させることができない。また、コスト上の観点から、燃焼室１の温度変化は小さいことが望ましい。
【００１３】
そこで、この発明は、熱風炉の設置に必要なスペースを小さくするとともに、その熱風炉の燃焼室の稼働を効率的にすることを課題とする。
【課題を解決するための手段】
【００１４】
上記の課題を解決するために、この発明は、一基の燃焼室から複数基の蓄熱室に対して燃焼ガスを供給できるようにしたのである。
【００１５】
このようにすれば、一の蓄熱室の蓄熱が完了しても、燃焼室は、他の蓄熱室を蓄熱させることができる。このため、一の蓄熱室の蓄熱が完了した際に、燃焼室内でのガスの燃焼を止める必要がなく、燃焼室を効率的に稼働させることができる。
【００１６】
また、一基の燃焼室で複数基の蓄熱室に対応できるので、熱風炉の設置に要するスペースを小さくすることができる。
【００１７】
具体的な構成は、燃焼室で生じた燃焼ガスを蓄熱室に供給し、その燃焼ガスが有する熱エネルギーによって前記蓄熱室内に配置した蓄熱体に蓄熱させ、燃焼ガスの供給を止めた状態の前記蓄熱室内に気体を通して熱風を発生させる熱風炉において、少なくとも一基の燃焼室から複数の蓄熱室に対して燃焼ガスが供給可能となっている構成とすることができる。
【００１８】
また、この構成において、燃焼ガスは熱風供給状態の蓄熱室や待機状態の蓄熱室には供給する必要がないため、前記一基の燃焼室と前記複数の蓄熱室との間はそれぞれ燃焼ガス供給路で結ばれている際に、その各燃焼ガス供給路に第一熱風弁を配置し、その第一熱風弁の開閉により、前記複数の蓄熱室に対してそれぞれ選択的に燃焼ガスが供給可能となっている構成とすることができる。これによって、蓄熱の必要がある蓄熱室にのみ燃焼ガスを供給することができる。
【００１９】
これらの各構成において、前記気体は、前記蓄熱室に接続した冷風管を通じて前記蓄熱室内へ通されるようになっており、前記熱風は、前記蓄熱室に接続された熱風管を通じて外部へ供給されるようになっており、前記燃焼ガスは、前記蓄熱室に接続した煙道管を通じて外部へ排出されるようになっており、前記冷風管には冷風弁が、前記煙道管には煙道弁が、前記熱風管には第二熱風弁が、それぞれの管を開閉可能に設けられており、前記一基の燃焼室が、前記複数の蓄熱室のうち一の蓄熱室に燃焼ガスを供給する際に、その一の蓄熱室に接続された燃焼ガス供給路の第一熱風弁及び前記煙道管の煙道弁は開放され前記熱風管の第二熱風弁及び冷風管の冷風弁は閉じられ、他の蓄熱室に接続された燃焼ガス供給路の第一熱風弁は閉じられ、前記他の蓄熱室のうち外部へ熱風を供給する対象となっている蓄熱室がある場合は、前記対象となっている蓄熱室に接続された前記熱風管の第二熱風弁及び前記冷風管の冷風弁は開放されるように、それぞれ自動的に制御する機能を有する制御手段を備えた構成とすることができる。
【００２０】
この構成によって、複数の蓄熱室のうち、燃焼室から燃焼ガスが供給されるべき蓄熱室、燃焼ガスが供給されない蓄熱室のそれぞれに対して、対応する第一熱風弁及び煙道弁が自動的に開閉することができ、また、燃焼ガスが供給されない蓄熱室の中で、熱風を外部へ供給する対象となる蓄熱室がある場合は、その対象となった蓄熱室に対しては、冷風弁と第二熱風弁の開放を自動的に行うことができる。
【００２１】
また、熱風炉による熱風の供給方法として、以下の構成を採用することができる。
【００２２】
その構成は、燃焼室で生じた燃焼ガスを蓄熱室に供給し、その燃焼ガスが有する熱エネルギーによって前記蓄熱室内に配置した蓄熱体に蓄熱させ、燃焼ガスの供給を止めた状態の前記蓄熱室内に気体を通して熱風を発生させる熱風炉による熱風の供給方法において、少なくとも一基の燃焼室から複数の蓄熱室に対して燃焼ガスを供給し、その燃焼ガスによって蓄熱が完了した蓄熱室から外部へ熱風を供給することを特徴とするものである。
【００２３】
また、この構成において、前記一基の燃焼室と前記複数の蓄熱室との間はそれぞれ燃焼ガス供給路で結ばれており、その各燃焼ガス供給路に第一熱風弁を配置し、その第一熱風弁の開閉により、前記複数の蓄熱室のうち、前記熱風を供給している蓄熱室を除く少なくとも一の蓄熱室に対して燃焼ガスを供給する構成を採用することができる。
【００２４】
これらの構成によれば、燃焼室内でのガスの燃焼を止める必要がなく、燃焼室を効率的に稼働させることができる。また、一基の燃焼室で複数基の蓄熱室に対応できるので、熱風炉の設置に要するスペースを小さくすることができる。
【００２５】
さらに、これらの構成において、前記気体は、前記蓄熱室に接続した冷風管を通じて前記蓄熱室内へ通されるようになっており、前記熱風は、前記蓄熱室に接続された熱風管を通じて外部へ供給されるようになっており、前記燃焼ガスは、前記蓄熱室に接続した煙道管を通じて外部へ排出されるようになっており、前記冷風管には冷風弁が、前記煙道管には煙道弁が、前記熱風管には第二熱風弁が、それぞれの管を開閉可能に設けられており、前記一基の燃焼室が、前記複数の蓄熱室のうち一の蓄熱室に燃焼ガスを供給する際に、その一の蓄熱室に接続された燃焼ガス供給路の第一熱風弁及び前記煙道管の煙道弁を開放し前記熱風管の第二熱風弁及び冷風管の冷風弁を閉じ、他の蓄熱室に接続された燃焼ガス供給路の第一熱風弁を閉じ、前記他の蓄熱室のうち外部へ熱風を供給する対象となっている蓄熱室がある場合は、前記対象となっている蓄熱室に接続された前記熱風管の第二熱風弁及び前記冷風管の冷風弁を開放する構成を採用することができる。
【００２６】
この構成によって、複数の蓄熱室のうち、燃焼室から燃焼ガスが供給されるべき蓄熱室、燃焼ガスが供給されない蓄熱室のそれぞれに対して、対応する第一熱風弁及び煙道弁を開閉させ、また、燃焼ガスが供給されない蓄熱室の中で、熱風を外部へ供給する対象となる蓄熱室がある場合は、その対象となった蓄熱室に対しては、冷風弁と第二熱風弁の開放を行うことで、燃焼室のさらなる効率的な稼働が可能となる。
【発明の効果】
【００２７】
この発明は、一基の燃焼室から複数基の蓄熱室に対して燃焼ガスを供給できるようにしたので、一の蓄熱室の蓄熱が完了しても、燃焼室は、他の蓄熱室を蓄熱させることができる。このため、燃焼室内でのガスの燃焼を止める必要がなく、燃焼室を効率的に稼働させることができる。
また、一基の燃焼室で複数基の蓄熱室に対応できるので、熱風炉の設置に要するスペースを小さくすることができる。
【発明を実施するための最良の形態】
【００２８】
この発明の実施形態を、図１乃至図３に基づいて説明する。この実施形態は、製鉄高炉に熱風を供給するために配置される熱風炉２０である。
【００２９】
熱風炉２０の構成は、図１に示すように、ガス供給管４ｂから供給される燃料ガスを、空気管４ａから供給される空気とともに燃焼室１に導入され、その燃料ガスが燃焼室１内で燃焼して、高温の燃焼ガスが発生するようになっている。
なお、ガス供給管４ｂ、空気管４ａには、それぞれ開閉弁１４ｂ，１４ａが備えられており、その開閉により、燃料ガス、空気の供給量がそれぞれ調整できるようになっている。
【００３０】
燃焼室１で生じた燃焼ガスは、燃焼ガス供給路５を通じて蓄熱室２に供給される。その燃焼ガスが有する熱エネルギーによって、前記蓄熱室２内に配置した煉瓦等からなる蓄熱体３が蓄熱する。
【００３１】
この実施形態では、その一基の燃焼室１から三基の蓄熱室２に対して、それぞれ選択的に燃焼ガスが供給可能となっている。
【００３２】
すなわち、前記一基の燃焼室１と前記三基の蓄熱室２との間は、それぞれ燃焼ガス供給路５で結ばれている。その各燃焼ガス供給路５に、第一熱風弁１５が配置されている。
その第一熱風弁１５の開閉により、前記三基の蓄熱室２の中から、燃焼ガスを供給する蓄熱室２を選択できるようになっている。例えば、全ての第一熱風弁１５を開放すれば、全ての蓄熱室２に燃焼ガスを供給することも可能であるが、通常は、一つの第一熱風弁１５のみが開放され、他は閉じられて、選択された一基の蓄熱室２にのみ燃焼ガスが供給されるように設定される。
【００３３】
また、燃焼ガスは、前記蓄熱室２に接続した煙道管７を通じて外部へ排出されるようになっている。この煙道管７には、煙道弁１７が備えられている。
【００３４】
燃焼ガスによって所定の蓄熱が終了した蓄熱室２に対しては、前記第一熱風弁１５及び煙道弁１７が閉じられて燃焼ガスの供給を止めた状態において、その蓄熱室２内に、冷風管６を通じて気体（冷風）が供給される。この気体は、蓄熱室２内を通過して熱風となり、その熱風は熱風管８へ送られ、その熱風管８の先にある高炉９に供給されるようになっている。
【００３５】
なお、冷風管６は前記各蓄熱室２毎に接続され、その冷風管６の途中には、それぞれ、蓄熱室２への接続部の手前に冷風弁１６が備えられている。その冷風弁１６の開閉により、気体の供給量（風量）がそれぞれ調整できるようになっている。
【００３６】
また、前記熱風管８には第二熱風弁１８が備えられており、この第二熱風弁１８は、熱風管８を通じて高炉９に熱風を供給する際には開放され、熱風を供給しない際、例えば、蓄熱室２内に燃焼ガスが供給されている際には閉じられる。
【００３７】
なお、図３は、他の実施形態の熱風炉２０の詳細を示している。この図では、三基の蓄熱室２のうち、代表して一基のみを表示している。
【００３８】
図中の符号１１，１２はいずれも送風機を、符号１３は環状管を示している。高炉９に熱風を供給する際には、冷風が冷風管６を通じて蓄熱室２へ供給され、熱風は熱風管８を通じて高炉９へ供給される（図中矢印ｇ，ｈ参照）。
この実施形態では、高炉９で発生した高炉ガスの一部が、高炉ガス配管１９を通じてガス供給管４ｂに合流し（図中矢印ｉ，ｊ参照）、その高炉ガスが、ガス供給管４ｂからの燃料ガスとともに、燃焼室１内で燃焼するようになっている（図中矢印ｂ参照）。
なお、燃焼に必要な空気は、空気管４ａを通じて、図中矢印ａのように供給される。
【００３９】
その燃焼ガスは、矢印ｃのように蓄熱室２へ供給されて内部の蓄熱体３を蓄熱した後、蓄熱室２から煙道管７を通じて排出される（図中矢印ｄ参照）。排出された燃焼ガスは空気予熱機２１に至り、ここで、その煙道管７内の燃焼ガスと、その燃焼室１に接続されている空気管４ａ内の空気との間で熱交換が行われるようになっている（図中矢印ｅ，ｆ参照）。
すなわち、空気管４ａを通じて燃焼室１に供給される空気は、空気予熱機２１において所定の温度に予熱された後、燃焼室１に供給されるので、燃焼室１での燃料ガスの燃焼効率が向上している。
【００４０】
この熱風炉２０による熱風の供給方法について、図２に基づいて説明する。この熱風の供給方法は、図１の実施形態、図３の実施形態のいずれにおいても採用できる。
【００４１】
まず、図２（ａ）に示すように、三基の蓄熱室２のうち、図中の左側に示す蓄熱室２ａが蓄熱状態、図中の中央に示す蓄熱室２ｂが熱風供給状態、図中の右側に示す蓄熱室２ｃが待機状態であるとする。なお、図中に黒色で示す弁は閉鎖した状態を示し、白色で示す弁は開放された状態を示す（以下、図２（ｂ）（ｃ）についても同じ）。
【００４２】
蓄熱状態である蓄熱室２ａに対しては、図中に矢印で示すように、燃焼室１内で生じた燃焼ガスが蓄熱室２ａへ向かって供給されている。このとき、蓄熱室２ａに接続された燃焼ガス供給路５の第一熱風弁１５及び煙道管７の煙道弁１７は開放されている。
また、前記蓄熱室２ａに接続された熱風管８の第二熱風弁１８及び冷風管６の冷風弁１６は閉じられている。
【００４３】
熱風供給状態にある蓄熱室２ｂに対しては、その蓄熱室２ｂに接続された燃焼ガス供給路５の第一熱風弁１５及び前記煙道管７の煙道弁１７は閉じられ、熱風管８の第二熱風弁１８及び冷風管６の冷風弁１６が開放されて、送風機１１の動作によって蓄熱室２ｂ内に冷風が供給される。冷風は、蓄熱室２ｂ内を通過する際に蓄熱体３の熱を奪って熱風となる。熱風は、熱風管８を通じて高炉９に供給されている。
【００４４】
待機状態にある蓄熱室２ｃに対しては、この蓄熱室２ｃ内の蓄熱体３は所定の熱量の蓄熱を完了しているので、いつでも熱風の供給を開始できる状態である。その蓄熱室２ｃに接続された燃焼ガス供給路５の第一熱風弁１５及び煙道管７の煙道弁１７は閉じられている。また、蓄熱室２ｃに接続された熱風管８の第二熱風弁１８及び冷風管６の冷風弁１６も閉じられているので、他の蓄熱室２からの熱風が熱風管８を通じて逆流することがない。
【００４５】
蓄熱室２ｂからの熱風の供給が終了し、図２（ｂ）の状態に移行する。図２（ｂ）は、三基の蓄熱室２のうち、図中の左側に示す蓄熱室２ａが待機状態、図中の中央に示す蓄熱室２ｂが蓄熱状態、図中の右側に示す蓄熱室２ｃが熱風供給状態である。
待機状態、蓄熱状態、熱風供給状態にある各蓄熱室２ａ，２ｂ，２ｃにおける作用については、それぞれ順に、図２（ａ）の場合における各蓄熱室２ｃ，２ａ，２ｂと同様である。
【００４６】
蓄熱室２ｃからの熱風の供給が終了し、図２（ｃ）の状態に移行する。図２（ｃ）は、三基の蓄熱室２のうち、図中の左側に示す蓄熱室２ａが熱風供給状態、図中の中央に示す蓄熱室２ｂが待機状態、図中の右側に示す蓄熱室２ｃが蓄熱状態である。
熱風供給状態、待機状態、蓄熱状態、にある各蓄熱室２ａ，２ｂ，２ｃにおける作用については、それぞれ順に、図２（ａ）の場合における各蓄熱室２ｂ，２ｃ，２ａと同様である。
【００４７】
なお、この実施形態では、蓄熱室２を三基並列して設け、そのうち一基を熱風の供給も蓄熱も行わない待機状態として運用したが、この蓄熱室２を休止状態として稼働を止め、残る二基の蓄熱室２を、熱風供給状態、蓄熱状態として交互に運用してもよい。
【００４８】
これらの熱風供給状態、蓄熱状態、待機状態（休止状態）の切り換えは、第一熱風弁１５、第二熱風弁１８、冷風弁１６、煙道弁１７等の開閉、及び送風機１１，１２の動作開始、動作停止等によって行ったが、これらの動作は、手動操作によって切り換えることもできるし、これらの動作をそれぞれ自動的に制御する機能を有する制御手段を備えた構成も考えられる。
【００４９】
すなわち、例えば、各蓄熱室２ａ，２ｂ，２ｃに蓄熱量を把握するためのセンサーを取付け、そのセンサーからの信号により、制御手段が、前述のような前記熱風供給状態、蓄熱状態、待機状態（休止状態）の切り換えを自動的に行う構成とすることができる。
その制御手段としては、例えば、前記各センサーからの情報を演算処理する機能を有し、その演算処理により、前記各弁の開閉や、送風機の動作を制御するための制御信号を発信する機能を有するパソコン等、及び前記各弁や送風機等に備えられ、それらの制御信号を受けて前記弁の開閉や送風機の動作開始、停止を自動的に行うことができる動作装置を備えている構成が考えられる。
【図面の簡単な説明】
【００５０】
【図１】一実施形態の構成を示す模式図
【図２】（ａ）〜（ｃ）は、各蓄熱室が、熱風供給状態、蓄熱状態、待機状態を切り換えていく状態を示す略図
【図３】他の実施形態の構成を示す模式図
【図４】従来例の模式図
【図５】従来例の模式図
【符号の説明】
【００５１】
１  燃焼室
２，２ａ，２ｂ，２ｃ  蓄熱室
３  蓄熱体
４ａ  空気管
４ｂ  ガス供給管
５  燃焼ガス供給路
６  冷風管
７  煙道管
８  熱風管
９  高炉
１０，２０  熱風炉
１１，１２  送風機
１４ａ，１４ｂ  開閉弁
１５  第一熱風弁
１６  冷風弁
１７  煙道弁
１８  第二熱風弁
１９  高炉ガス配管
２１  空気予熱機
【図１】
2010047782.tif 000003
【図２】
2010047782.tif 000004
【図３】
2010047782.tif 000005
【図４】
2010047782.tif 000006
【図５】
2010047782.tif 000007